【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
静止画撮影と動画撮影とが可能な撮像装置であって、
露出制御値を設定するための操作手段と、
前記操作手段により設定された露出制御値で得られる被写体輝度を取得する取得手段と、
前記取得手段により取得された被写体輝度が適正か否かを判定する判定手段と、
前記判定手段が適正と判定する範囲である適正範囲を設定する設定手段と、
前記判定手段の判定結果を示す指標を表示する表示手段と、を有し、
前記設定手段は、前記判定手段により動画撮影用に設定された露出制御値で得られる被写体輝度が判定される場合と静止画撮影用に設定された露出制御値で得られる被写体輝度が判定される場合とで、前記適正範囲を変更することを特徴とする撮像装置。
【請求項２】
前記取得手段により取得された被写体輝度のレベルと適正レベルとの差分の大きさを算出する算出手段を有し、
前記設定手段は、前記適正レベルとの差分の大きさが所定値以内である範囲を前記適正範囲として設定し、前記所定値を変更することで前記適正範囲を変更することを特徴とする請求項１に記載の撮像装置。
【請求項３】
前記表示手段は、前記算出手段により算出された差分の大きさを示す指標を表示することを特徴とする請求項２に記載の撮像装置。
【請求項４】
前記設定手段は、前記判定手段により動画撮影用に設定された露出制御値で得られる被写体輝度が判定される場合のほうが静止画撮影用に設定された露出制御値で得られる被写体輝度が判定される場合よりも、前記適正範囲を広くすることを特徴とする請求項１ないし３のいずれか１項に記載の撮像装置。
【請求項５】
前記操作手段によりシャッター速度と絞り値が設定可能なマニュアルモードを含む複数の撮影モードから１つの撮影モードを選択する選択手段を有し、
前記設定手段は、前記判定手段により動画撮影用に設定された露出制御値で得られる被写体輝度が判定される場合、前記選択手段によりマニュアルモードが選択されているか否かに応じて前記適正範囲を変更することを特徴とする請求項１ないし４のいずれか１項に記載の撮像装置。
【請求項６】
前記撮像装置は、撮像素子に結像された被写体像に基づく画像を逐次表示するライブビュー表示が可能であり、かつ前記ライブビュー表示の表示モードを複数の表示モードの中から選択可能であって、
前記設定手段は、前記表示手段が第１の表示モードでライブビュー表示を行っている場合と第２の表示モードでライブビュー表示を行っている場合とで、前記適正範囲を変更することを特徴とする請求項１ないし５のいずれか１項に記載の撮像装置。
【請求項７】
静止画撮影と動画撮影とが可能な撮像装置であって、
露出制御値を設定するための操作手段と、
前記操作手段により設定された露出制御値に基づく露出が適正か否かを判定する判定手段と、
前記判定手段が適正と判定する範囲である適正露出範囲を設定する設定手段と、
前記判定手段の判定結果を示す指標を表示する表示手段と、を有し、
前記設定手段は、前記判定手段により動画撮影用に設定された露出制御値に基づく露出が判定される場合と静止画撮影用に設定された露出制御値に基づく露出が判定される場合とで、前記適正露出範囲の幅を変更することを特徴とする撮像装置。
【請求項８】
露出制御値を設定するための操作手段を備え、静止画撮影と動画撮影とが可能な撮像装置の制御方法であって、
前記操作手段により設定された露出制御値で得られる被写体輝度を取得する取得ステップと、
前記取得ステップで取得された被写体輝度が適正か否かを判定する判定ステップと、
前記判定ステップで適正と判定する範囲である適正範囲を設定する設定ステップと、
前記判定ステップでの判定結果を示す指標を表示手段に表示する表示ステップと、を有し、
前記設定ステップは、前記判定ステップで動画撮影用に設定された露出制御値で得られる被写体輝度が判定される場合と静止画撮影用に設定された露出制御値で得られる被写体輝度が判定される場合とで、前記適正範囲を変更することを特徴とする撮像装置の制御方法。
【請求項９】
露出制御値を設定するための操作手段を備え、静止画撮影と動画撮影が可能な撮像装置の制御方法であって、
前記操作手段により設定された露出制御値に基づく露出が適正か否かを判定する判定ステップと、
前記判定ステップで適正と判定する範囲である適正露出範囲を設定する設定ステップと、
前記判定ステップでの判定結果を示す指標を表示手段に表示する表示ステップと、を有し、
前記設定ステップは、前記判定ステップで動画撮影用に設定された露出制御値に基づく露出が判定される場合と静止画撮影用に設定された露出制御値に基づく露出が判定される場合とで、前記適正露出範囲の幅を変更することを特徴とする撮像装置の制御方法。
【手続補正２】
【補正対象書類名】明細書
【補正対象項目名】０００４
【補正方法】変更
【補正の内容】
【０００４】
また、上述の撮像装置のなかには、ユーザーの設定した露出制御値で得られる被写体輝度が適正であるかを確認できるように、設定した露出制御値で得られる被写体輝度を示す情報を液晶モニターなどに表示するものがある。例えば、特許文献１には、手動設定された露出条件で撮像した輝度ヒストグラムを表示して、手動設定された露出条件の適否をユーザーが確認できるようにした撮像装置が開示されている。
【手続補正３】
【補正対象書類名】明細書
【補正対象項目名】０００５
【補正方法】変更
【補正の内容】
【０００５】
また、設定した露出制御値で得られる被写体輝度を示す情報だけでなく、設定した露出制御値で得られる被写体輝度のレベルと適正レベルとの差分の大きさを示す情報を表示するものもある。設定した露出制御値で得られる被写体輝度のレベルと適正レベルとの差分の大きさを示す情報を表示する際には、通常、差分の値がどの値からどの値の間に収まっていれば適正だと判断する、いわゆる適正として扱う不感帯が存在する。そして、差分の値がこの不感帯の範囲内に収まっていれば、ユーザーが設定した露出制御値で得られる被写体輝度が適正であることを示す指標が表示される。
【手続補正４】
【補正対象書類名】明細書
【補正対象項目名】０００７
【補正方法】変更
【補正の内容】
【０００７】
しかしながら、静止画撮影用と動画撮影用とで、設定された露出制御値の内部的な扱い方が異なることに起因して、同じ撮影条件であっても動画撮影用と静止画撮影用の一方だけで適正と判断される場合がある。内部的な扱い方が異なるとは、例えば、撮影感度を示すＩＳＯ２００の内部制御値を仮にＡとした場合、静止画撮影用は、Ａ−４〜Ａ＋３までをＩＳＯ２００として扱うのに対して、動画撮影用は、ＡのみをＩＳＯ２００として扱うことを表している。すなわち、設定された値に対応する内部制御値の幅が異なることを表している。
【手続補正５】
【補正対象書類名】明細書
【補正対象項目名】０００８
【補正方法】変更
【補正の内容】
【０００８】
仮に、ＩＳＯ２００を露出制御値として設定して得られる被写体輝度のレベルと適正レベルとの差分を演算する場合、静止画撮影用は内部制御値がＡ−４〜Ａ＋３の範囲で差分の演算を行うが、動画撮影用はＡでのみ差分の演算を行うことになる。そのため、同じ撮影条件であっても静止画撮影用と動画撮影用で演算される差分の値が異なることになる。したがって、適正として扱う不感帯の幅が動画撮影用と静止画撮影用で同じ幅に設定されていると、同じ撮影条件であっても静止画撮影用では差分の大きさが適正範囲内だと判断され、動画撮影用では適正範囲外だと判断されてしまう。
【手続補正６】
【補正対象書類名】明細書
【補正対象項目名】０００９
【補正方法】変更
【補正の内容】
【０００９】
以上のことから、設定した露出制御値で得られる被写体輝度の状態をユーザーが正確に把握できず、被写体輝度が適正となる露出制御値が設定されているのに適正でないと認識してしまい、露出制御値の設定変更を必要以上に行ってしまう。
【手続補正７】
【補正対象書類名】明細書
【補正対象項目名】００１０
【補正方法】変更
【補正の内容】
【００１０】
本発明は上記の課題を鑑みてなされたものであり、ユーザーが動画撮影用および静止画撮影用の露出制御値の設定を行う場合に、設定した露出制御値で得られる被写体輝度の状態を正確に把握することができる撮像装置を提供することを目的とする。
【手続補正８】
【補正対象書類名】明細書
【補正対象項目名】００１１
【補正方法】変更
【補正の内容】
【００１１】
上記目的を達成するために、本発明に係る撮像装置は、静止画撮影と動画撮影とが可能な撮像装置であって、露出制御値を設定するための操作手段と、前記操作手段により設定された露出制御値で得られる被写体輝度を取得する取得手段と、前記取得手段により取得された被写体輝度が適正か否かを判定する判定手段と、前記判定手段が適正と判定する範囲である適正範囲を設定する設定手段と、前記判定手段の判定結果を示す指標を表示する表示手段と、を有し、前記設定手段は、前記判定手段により動画撮影用に設定された露出制御値で得られる被写体輝度が判定される場合と静止画撮影用に設定された露出制御値で得られる被写体輝度が判定される場合とで、前記適正範囲を変更することを特徴とする。
【手続補正９】
【補正対象書類名】明細書
【補正対象項目名】００１２
【補正方法】変更
【補正の内容】
【００１２】
また、本発明に係る撮像装置の制御方法は、露出制御値を設定するための操作手段を備え、静止画撮影と動画撮影とが可能な撮像装置の制御方法であって、前記操作手段により設定された露出制御値で得られる被写体輝度を取得する取得ステップと、前記取得ステップで取得された被写体輝度が適正か否かを判定する判定ステップと、前記判定ステップで適正と判定する範囲である適正範囲を設定する設定ステップと、前記判定ステップでの判定結果を示す指標を表示手段に表示する表示ステップと、を有し、前記設定ステップは、前記判定ステップで動画撮影用に設定された露出制御値で得られる被写体輝度が判定される場合と静止画撮影用に設定された露出制御値で得られる被写体輝度が判定される場合とで、前記適正範囲を変更することを特徴とする。
【手続補正１０】
【補正対象書類名】明細書
【補正対象項目名】００１３
【補正方法】変更
【補正の内容】
【００１３】
本発明によれば、ユーザーが動画撮影用および静止画撮影用の露出制御値の設定を行う場合に、設定した露出制御値で得られる被写体輝度の状態を正確に把握することができる。
【手続補正１１】
【補正対象書類名】明細書
【補正対象項目名】００３３
【補正方法】変更
【補正の内容】
【００３３】
図３は、液晶表示部２５に表示される、シャッター速度、絞り値、撮影感度などの露出制御値およびそれらの露出制御値に基づく露出レベルと適正露出の露出レベルとの差分の大きさを示す情報の表示例を示している。すなわち、表示されている露出制御値で得られる被写体輝度のレベルと適正レベルとの差分の大きさを示す情報の表示例を示している。４０は表示されている露出制御値に基づく露出レベルと適正露出の露出レベルとの差分の大きさを示す露出レベル表示である。すなわち、表示されている露出制御値で得られる被写体輝度のレベルと適正レベルとの差分の大きさを示す露出レベル表示である。４１は表示されている露出制御値に基づく露出レベルが適正露出の露出レベルとの差分の大きさが何段分となるかを示す指標である。すなわち、表示されている露出制御値で得られる被写体輝度のレベルと適正レベルとの差分の大きさが露出に換算して何段分となるかを示す指標である。露出レベル表示４０は、適正露出の露出レベルを中心にして１／３段刻みで±３段までの露出レベルを示している。図３では指標４１の位置から、表示されている露出制御値に基づく露出レベルが適正露出の露出レベルよりも１／３段暗い状態であることがわかる。すなわち、表示されている露出制御値で得られる被写体輝度のレベルが適正レベルよりも露出に換算して１／３段低い状態であることがわかる。
【手続補正１２】
【補正対象書類名】明細書
【補正対象項目名】００３４
【補正方法】変更
【補正の内容】
【００３４】
ユーザーは、マニュアルモードにおいて露出制御値をマニュアル設定する場合に、指標４１が露出レベル表示４０の中心にくるように露出制御値を設定することで、被写体輝度が適正となる露出制御値を容易に設定することができる。
【手続補正１３】
【補正対象書類名】明細書
【補正対象項目名】００３５
【補正方法】変更
【補正の内容】
【００３５】
また、被写体の明るさが変化することで、設定した露出制御値で得られる被写体輝度が適正とならなくなった場合でも、適正からどの程度ずれているか容易に把握することができる。すなわち、被写体輝度を適正とするために露出制御値の設定を変更する必要があるか否かを容易に把握することができる。
【手続補正１４】
【補正対象書類名】明細書
【補正対象項目名】００４９
【補正方法】変更
【補正の内容】
【００４９】
ステップＳ１０２では、マイクロコンピュータ３９は、ステップＳ１０１で取得された被写体輝度のレベルと適正レベルとの差分を算出する。差分をδとすると、差分（δ）は、式（ａ）より求められる。なお、式（ａ）は公知のＡＰＥＸ（Ａｄｄｉｔｉｖｅ  Ｓｙｓｔｅｍ  ｏｆ  Ｐｈｏｔｏｇｒａｐｈｉｃ  Ｅｘｐｏｓｕｒｅ）単位を用いて表されており、ＢＶ：被写体の明るさ、ＳＶ：撮影感度、ＴＶ：シャッター速度、ＡＶ：絞り値、α：調整値である。すなわち、ステップＳ１０１で取得された被写体輝度のレベルと適正レベルとの差分は、露出に換算されて算出される。
δ＝（ＢＶ＋ＳＶ＋α）−（ＴＶ＋ＡＶ）      （ａ）
ステップＳ１０３では、マイクロコンピュータ３９は、動画撮影中であるか否かの判定を行い、動画撮影中であるならステップＳ１０４に進み、動画撮影中ではないならステップＳ１０６に進む。
【手続補正１５】
【補正対象書類名】明細書
【補正対象項目名】００５２
【補正方法】変更
【補正の内容】
【００５２】
ステップＳ１０６では、マイクロコンピュータ３９は、ステップＳ１０２で算出された差分の大きさが適正露出範囲内であるか否かの判定を行うための静止画用適正露出範囲を設定する。なお、動画用および静止画用の適正露出範囲の設定に関しては、図６を参照して後述する。
【手続補正１６】
【補正対象書類名】明細書
【補正対象項目名】００５４
【補正方法】変更
【補正の内容】
【００５４】
ステップＳ１０８では、ステップ１０７の判定結果として、図７（ａ）に示すような、設定されている露出制御値で撮像を行ったときの被写体輝度が適正であることを示す指標を液晶表示部２５に表示する。
【手続補正１７】
【補正対象書類名】明細書
【補正対象項目名】００５５
【補正方法】変更
【補正の内容】
【００５５】
ステップＳ１０９では、ステップ１０７の判定結果として、図７（ｂ）に示すような、設定されている露出制御値で撮像を行ったときの被写体輝度のレベルと適正レベルとの差分の大きさを示す指標を液晶表示部２５に表示する。
【手続補正１８】
【補正対象書類名】明細書
【補正対象項目名】００５６
【補正方法】変更
【補正の内容】
【００５６】
以上のようにして、ユーザーが動画撮影用および静止画撮影用の露出制御値の設定を行う場合に、設定した露出制御値で得られる被写体輝度が適正となることを正確に報知することができる。
【手続補正１９】
【補正対象書類名】明細書
【補正対象項目名】００５９
【補正方法】変更
【補正の内容】
【００５９】
設定された露出制御値で得られる被写体輝度が適正であれば差分の大きさが０であるとし、本実施の形態では、静止画用適正露出範囲を適正露出に対する差分の大きさが―４〜＋３の範囲としている。また、動画用適正露出囲を適正露出に対する差分の大きさが−６〜＋６の範囲としている。なお、それぞれの適正露出範囲は、静止画撮影用と動画撮影用とで設定された露出制御値の内部的な扱い方が異なることを考慮して決められている。被写体の明るさや露出制御値など撮影条件が同じ場合であれば、静止画撮影用の露出制御値が設定された場合と動画撮影用の露出制御値が設定された場合とで適正露出か否かの判定が同じ結果となるように決められているものとする。
【手続補正２０】
【補正対象書類名】明細書
【補正対象項目名】００６４
【補正方法】変更
【補正の内容】
【００６４】
そこで、動画撮影用と静止画撮影用とで異なる適正露出範囲を設定することで、動画撮影用および静止画撮影用のいずれの露出制御値を設定する場合であっても、被写体輝度が適正となる露出制御値が設定されていることを正確に報知することができる。
【手続補正２１】
【補正対象書類名】明細書
【補正対象項目名】００６５
【補正方法】変更
【補正の内容】
【００６５】
以上のように、動画撮影用と静止画撮影用とで適正露出範囲を変更することで、被写体輝度が適正となる露出制御値が設定されていることを正確に報知でき、設定された露出制御値で得られる被写体輝度の状態をユーザーが正確に把握することができる。
【手続補正２２】
【補正対象書類名】明細書
【補正対象項目名】００６８
【補正方法】変更
【補正の内容】
【００６８】
また、設定した露出制御値で得られる被写体輝度のレベルと適正レベルとの差分の大きさを示す情報として、図３に示すような露出レベル表示４０および指標４１を例示したが、表示形態は図３に例示された表示形態に限定されるものではない。例えば、露出レベル表示４０のように露出レベルを１／３段刻みで表示するのではなく、１／２段刻みや１／４段刻みなどで表示してもよい。
【手続補正２３】
【補正対象書類名】明細書
【補正対象項目名】００６９
【補正方法】変更
【補正の内容】
【００６９】
また、露出レベル表示４０や指標４１のような、設定した露出制御値で得られる被写体輝度のレベルと適正レベルとの差分の大きさを示す情報は液晶表示部２５以外の位置に表示してもよい。例えば、ユーザーがファインダー１６を覗いた状態で視認できる位置に表示してもよい。
【手続補正２４】
【補正対象書類名】明細書
【補正対象項目名】００７１
【補正方法】変更
【補正の内容】
【００７１】
また、設定した露出制御値で得られる被写体輝度のレベルと適正レベルとの差分の大きさを算出せずに、設定した露出制御値で得られる被写体輝度のレベルが適正レベルに基づいて決定されるレベルであるか否かを判定してもよい。